(57)【特許請求の範囲】
【請求項１】
目地部を介して設けられた左右の床躯体の目地部側の上面に形成された左右の支持凹部と、前記目地部側の左右の床躯体に中央部が常時目地部の中央部に位置するように取付けられた少なくとも２個以上の中央維持機構と、この中央維持機構の中央部に枢支された支持アームと、前記左右の支持凹部に所定間隔で反目地部側が枢支ピンで枢支された複数対の受けレールと、この複数対の受けレールにスライド移動可能に取付けられた、該複数対の受けレールの上面とほぼ同一上面となる中央部が前記支持アームに枢支された複数個の桁と、この複数個の桁および前記複数対の受けレールに所定間隔で支持された複数個の目地プレート支持アームと、この複数個の目地プレート支持アームの中央部の目地プレート支持アームを除く他の目地プレート支持アームに後端部が固定され、先端部が外方の前記左右の床躯体上あるいは隣りの部材と重なり合うほぼ目地プレート支持アーム間の２倍の幅寸法の複数個の目地プレートと、前記中央部の目地プレート支持アームにほぼ中央部が取付けられ、両端部が中央部の目地プレート支持アームと隣り合う目地プレート支持アームに固定された目地プレートのほぼ中央部に位置するように覆う中央目地プレートと、前記複数個の目地プレート支持アームを常時所定間隔となるように位置させる両端部が前記左右の支持凹部の側壁に枢支された少なくとも２個以上のパンタグラフ形状の伸縮リンク機構とからなることを特徴とする床用目地装置。
【請求項２】
左右の支持凹部の幅寸法は目地部の幅寸法とほぼ同じ寸法に形成され、複数対の受けレールに支持される複数個の桁は目地部の幅寸法の２倍の長さに形成されていることを特徴とする請求項１記載の床用目地装置。
【発明の詳細な説明】
【技術分野】
【０００１】
本発明は目地部を介して設けられた左右の床躯体間を伸縮可能に覆う床用目地装置に関する。
【背景技術】
【０００２】
従来、この種の床用目地装置は目地部間に複数個の目地プレート支持アームを所定間隔で配置し、該複数個の目地プレート支持アームの中央部を除く部位の目地プレート支持アームに外側へ突出し、隣りの部材と重なり合う複数個の目地プレートを固定し、中央部の目地プレート支持アームに両端部が隣り合う目地プレートと重なり合う中央目地プレートを用いて構成している。
【０００３】
このように構成された床用目地装置は目地部側の左右の床躯体に両端部が取付けられるため荷重が集中し、十分な強度を得るのが難しいという欠点があった。
また、目地部間に多数個の目地プレート支持アームが位置するため、目地部のほぼ全幅寸法の収縮は不可能で、左右の床躯体の揺れ動き量を大きく設定することができないという欠点があった。
【先行技術文献】
【特許文献】
【０００４】
【特許文献１】特許第３６９１７７８号
【発明の概要】
【発明が解決しようとする課題】
【０００５】
本発明は以上のような従来の欠点に鑑み、十分な強度が得られるとともに、左右の床躯体の異なる前後方向の揺れ動きを吸収することができ、かつ目地部の幅寸法分の伸縮の揺れ動きを吸収することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の床躯体の目地部側の上面に形成された左右の支持凹部と、前記目地部側の左右の床躯体に中央部が常時目地部の中央部に位置するように取付けられた少なくとも２個以上の中央維持機構と、この中央維持機構の中央部に枢支された支持アームと、前記左右の支持凹部に所定間隔で反目地部側が枢支ピンで枢支された複数対の受けレールと、この複数対の受けレールにスライド移動可能に取付けられた、該複数対の受けレールの上面とほぼ同一上面となる中央部が前記支持アームに枢支された複数個の桁と、この複数個の桁および前記複数対の受けレールに所定間隔で支持された複数個の目地プレート支持アームと、この複数個の目地プレート支持アームの中央部の目地プレート支持アームを除く他の目地プレート支持アームに後端部が固定され、先端部が外方の前記左右の床躯体上あるいは隣りの部材と重なり合うほぼ目地プレート支持アーム間の２倍の幅寸法の複数個の目地プレートと、前記中央部の目地プレート支持アームにほぼ中央部が取付けられ、両端部が中央部の目地プレート支持アームと隣り合う目地プレート支持アームに固定された目地プレートのほぼ中央部に位置するように覆う中央目地プレートと、前記複数個の目地プレート支持アームを常時所定間隔となるように位置させる両端部が前記左右の支持凹部の側壁に枢支された少なくとも２個以上のパンタグラフ形状の伸縮リンク機構とで床用目地装置を構成している。
【発明の効果】
【０００９】
以上の説明から明らかなように、本発明にあっては次に列挙する効果が得られる。
（１）請求項１により、目地部側の左右の床躯体の上面に形成された左右の支持凹部に複数対の受けレールを設け、該複数対の受けレールにスライド移動可能な複数個の桁を設け、該複数個の桁および前記複数対の受けレールに所定間隔で支持された複数個の目地プレート支持アームに複数個の目地プレートおよび中央目地プレートを設けているので、該複数個の目地プレートおよび中央目地プレートに加わる荷重を左右の床躯体の支持凹部で支持することができる。
したがって、従来のように左右の床躯体の目地部側に両端部を取付けるものに比べ、十分な強度が得られる。
（２）前記（１） により、複数個の目地プレート支持アームに複数個の目地プレートおよび中央目地プレートを取付けているので、左右の床躯体が接触するように揺れ動いても、複数個の目地プレート支持アームが左右の支持凹部上へ移動して、その揺れ動きを吸収する。
したがって、目地部の幅寸法分の左右の床躯体の揺れ動きを損傷なく吸収することができる。
（３）前記（１）により、左右の床躯体が異なる前後左右方向に揺れ動いても、損傷したり、隙間が生じたりすることなく、その揺れ動きを吸収することができる。
（４）請求項２も前記（１）〜（３）と同様な効果が得られるとともに、目地部の幅寸法とほぼ同じ寸法分の異なる方向の揺れ動きを効率よく吸収することができる。
【図面の簡単な説明】
【００１０】
【図１】本発明を実施するための第１の形態の平面図。
【図２】図１の２−２線に沿う断面図。
【図３】複数対の受けレールと複数個の桁の取付け状態の説明図。
【図４】図３の異なる左右方向の動作説明図。
【図５】図３の異なる前後方向の動作説明図。
【図６】複数個の目地プレート支持アームの取付け状態の説明図。
【図７】図６の異なる左右方向の動作説明図。
【図８】図６の異なる前後方向の動作説明図。
【図９】本発明を実施するための第１の形態の中央維持機構の説明図。
【図１０】本発明を実施するための第１の形態の中央目地プレートの説明図。
【図１１】本発明を実施するための第１の形態の目地部が狭くなった動作説明図。
【図１２】本発明を実施するための第１の形態の目地部が広くなった動作説明図。
【図１３】本発明を実施するための第１の形態の異なる前後方向の動作説明図。
【図１４】本発明を実施するための第２の形態の平面図。
【図１５】図１４の１５−１５線に沿う断面図。
【図１６】本発明を実施するための第２の形態の中央維持機構の説明図。
【図１７】本発明を実施するための第３の形態の平面図。
【図１８】図１７の１８−１８線に沿う断面図。
【図１９】本発明を実施するための第３の形態の受けレールと桁の説明図。
【発明を実施するための形態】
【００１１】
以下、図面に示す本発明を実施するための形態により、本発明を詳細に説明する。
【００１２】
図１ないし図１３に示す本発明を実施するための第１の形態において、１は目地部２を介して設けられた左右の床躯体３、３間を伸縮可能に覆う本発明の床用目地装置で、この床用目地装置１は前記目地部２側の左右の床躯体３、３の上面に形成された前記目地部２の幅寸法Ｌとほぼ同じ幅寸法の左右の支持凹部４、４と、前記目地部側の左右の床躯体３、３に中央部の中央枢支部５が常時目地部２の中央部に地位するように取付けられた少なくとも２個以上の中央維持機構６、６と、この中央維持機構６、６の中央枢支部５、５に枢支ピン７、７で枢支された支持アーム８と、前記左右の支持凹部４、４に所定間隔で反目地部側が枢支ピン９、９で枢支された先端部が前記目地部２の端部まで位置する複数対のハット形鋼形状の受けレール１０、１０と、この複数対の受けレール１０、１０にスライド移動可能に取付けられた、該複数対の受けレール１０、１０の上面とほぼ同一面で、両端部が左右の受けレール１０、１０のほぼ中央部に位置し、かつ中央部が前記支持アーム８に枢支ピン１１で枢支された複数個の桁１２と、この複数個の桁１２および前記複数対の受けレール１０、１０に所定間隔で支持された奇数の複数個の目地プレート支持アーム１３、１３、１３、１３Ａ、１３、１３、１３と、この複数個の目地プレート支持アーム１３、１３、１３、１３Ａ、１３、１３、１３の中央部に位置する目地プレート支持アーム１３Ａを除く他の目地プレート支持アーム１３、１３、１３、１３、１３、１３に後端部が複数本のビス１４で固定され、先端部が外方へ前記左右の床躯体３、３上あるいは隣りの部材と重なり合うほぼ目地プレート支持アーム１３、１３間の２倍の幅寸法の複数個の目地プレート１５、１５、１５、１５、１５、１５と、前記中央部の目地プレート支持アーム１３Ａにほぼ中央部の底面に固定された支持バー１６（図１０参照）部分で複数本のビス１７で取付けられ、両端部が中央部の目地プレート支持アーム１３Ａと隣り合う目地プレート支持アーム１３、１３に固定された目地プレート１５、１５のほぼ中央部に位置するように覆う中央目地プレート１８と、前記複数個の目地プレート支持アーム１３、１３、１３、１３Ａ、１３、１３、１３を常時所定間隔となるように位置させる両端部が前記左右の支持凹部４、４の側壁４ａ、４ａに枢支ピン１９、１９で枢支された複数個、本実施の形態では８個の四角枠状のリンク２０、２０、２０、２０、２０、２０、２０、２０を有する少なくとも２個以上のパンタグラフ形状の伸縮リンク機構２１、２１とで構成されている。
【００１３】
前記左右の支持凹部４、４の底面には前記複数対の受けレール１０、１０の回動がスムーズにできるように金属材製の下地プレート２２、２２が複数個の皿ビス２３で固定されている。
【００１４】
前記中央維持機構６、６は後端部が前記目地部側の左右の床躯体３、３に枢支ピン２４、２４で先端部が水平方向に回動できるように取付けられた一対のラック２５、２５と、この一対のラック２５、２５と前記目地部２の中央部で噛み合うピニオン２６と、このピニオン２６を回転可能に支持するとともに、前記支持アーム８を枢支する枢支ピン２７が取付けられ、かつ前記ラック２５、２５を該ピニオン２６との噛み合いを保つように支持する支持部材２８とで構成されている。
【００１５】
前記少なくとも２個以上のパンタグラフ形状の伸縮リンク機構２１、２１は四角枠状のリンク２０、２０、２０、２０、２０、２０、２０、２０の中央枢支部２９、２９、２９、２９、２９、２９、２９、２９、２９で、側壁４ａ、４ａや目地プレート支持アーム１３、１３、１３、１３Ａ、１３、１３、１３に枢支ピン３０、３０、３０、３０、３０、３０、３０、３０、３０で取付けられている。
【００１６】
上記構成の床用目地装置１は、通常時には左右の床躯体３、３に形成された左右の支持凹部４、４および目地部２は目地プレート１５、１５、１５、１５、１５、１５および中央目地プレート１８で覆われ、人や台車が安全に走行することができる。
【００１７】
地震により目地部２が狭くなるように左右の床躯体３、３が揺れ動くと、図１１に示すように中央維持機構６、６により支持アーム８は目地部２の中央部に維持されるため、複数個の桁１２と複数対の受けレール１０、１０との重なりが多くなるとともに、伸縮リンク機構２１、２１で目地プレート支持アーム１３、１３、１３、１３Ａ、１３、１３、１３は間隔が狭くなった所定間隔に位置されるため、複数個の目地プレート１５、１５、１５、１５、１５、１５および中央目地プレート１８は重なり量が多くなった収縮状態となって、その揺れ動きを吸収する。
【００１８】
地震で目地部２が広くなるように左右の床躯体３、３が揺れ動くと、図１２に示すように中央維持機構６、６により、支持アーム８は目地部２の中央部に維持されるため、複数個の桁１２と複数対の受けレール１０、１０との重なりが少なくなるとともに、伸縮リンク機構２１、２１で目地プレート支持アーム１３、１３、１３、１３Ａ、１３、１３、１３は間隔が広くなった所定間隔に位置されるため、複数個の目地プレート１５、１５、１５、１５、１５、１５および中央目地プレート１８は重なり量が少なくなった伸長状態となって、その揺れ動きを吸収する。
【００１９】
地震で左右の床躯体３、３が異なる前後方向に揺れ動くと、図１３に示すように複数対の受けレール１０、１０は複数個の桁１２によって枢支ピン９、９を支点に回動するとともに、伸縮リンク機構２１、２１も両端部の枢支ピン３０、３０を支点として回動し、複数個の目地プレート１５、１５、１５、１５、１５、１５および中央目地プレート１８を順次前後方向に傾斜状態の配置となって、その揺れ動きを吸収する。
【００２０】
[発明を実施するための異なる形態]
次に、図１４ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１４ないし図１６に示す本発明を実施するための第２の形態において、前記本発明を実施するための第１の形態と主に異なる点は、チャンネル状の複数対の受けレール１０Ａ、１０Ａと、この複数対の受けレール１０Ａ、１０Ａに支持される複数個の桁１２の底面に滑り材３１を固定したものを用いるとともに、四角枠形状のリンク３２、３２が２個のパンタグラフ形状の中央維持装置６Ａ、６Ａを用いた点で、このように構成した床用目地装置１Ａにしても、前記本発明を実施するための第１の形態と同様な作用効果が得られる。
【００２２】
図１７ないし図１９に示す本発明を実施するための第３の形態において、前記本発明を実施するための第１の形態と主に異なる点は、複数対の受けレール１０、１０の底面に滑り材３１、３１を固定するとともに、複数個の桁１２の底面あるいは複数対の受けレール１０、１０の内底面に複数個のローラー３３を設置した点で、このように構成された床用目地装置１Ｂにしても、前記本発明を実施するための第１の形態と同様な作用効果が得られる。
【００２３】
なお、前記本発明を実施するための各形態では７個の目地プレート支持アーム１３を複数対の受けレール１０、１０および複数個の桁１２に所定間隔で支持させるものについて説明したが、本発明はこれに限らず、奇数個の目地プレート支持アーム１３を用いても同様に実施することができる。
【００２４】
なお、前記本発明を実施するための各形態では少なくとも２個以上の中央維持機構を一対のラック２５、２５とニオン２６を用いるものと、パンタグラフ形状のものを用いるものについて説明したが、本発明はこれに限らず、支持アーム８を常時目地部の中央部に位置できる構成のものであればどんな構成のものであってもよい。また、その両端部の取付け位置は目地部側の左右の床躯体に直接取付けるのがよいが、左右の床躯体の目地部側より目地部へ突出させたスラブや梁等の左右の床躯体と一体的に移動する部材に取付けてもよい。
【産業上の利用可能性】
【００２５】
本発明は目地部を介して設けられた左右の床躯体間を覆う床用目地装置を製造する産業で利用される。
【符号の説明】
【００２６】
１、１Ａ、１Ｂ：床用目地装置、２：目地部、
３：床躯体、        Ｌ：目地部の幅寸法、
４：支持凹部、        ５：中央枢支部、  
６、６Ａ：中央維持機構、    ７：枢支ピン、
８：支持アーム、      ９：枢支ピン、
１０：受けレール、      １１：枢支ピン、
１２：桁、        
１３、１３Ａ：目地プレート支持アーム、
１４：ビス、        １５：目地プレート、
１６：支持バー、      １７：ビス、
１８：中央目地プレート、    １９：枢支ピン、
２０：リンク、      ２１：伸縮リンク機構、
２２：下地プレート、    ２３：皿ビス、
２４：枢支ピン、      ２５：ラック、
２６：ピニオン、      ２７：枢支ピン、
２８：支持部材、      ２９：中央枢支部、
３０：枢支ピン、      ３１：滑り材、  
３２：リンク、      ３３：ローラー。
【図１】
0005390461.tif 000002
【図２】
0005390461.tif 000003
【図３】
0005390461.tif 000004
【図４】
0005390461.tif 000005
【図５】
0005390461.tif 000006
【図６】
0005390461.tif 000007
【図７】
0005390461.tif 000008
【図８】
0005390461.tif 000009
【図９】
0005390461.tif 000010
【図１０】
0005390461.tif 000011
【図１１】
0005390461.tif 000012
【図１２】
0005390461.tif 000013
【図１３】
0005390461.tif 000014
【図１４】
0005390461.tif 000015
【図１５】
0005390461.tif 000016
【図１６】
0005390461.tif 000017
【図１７】
0005390461.tif 000018
【図１８】
0005390461.tif 000019
【図１９】
0005390461.tif 000020